(57)【要約】      （修正有）【課題】シートバックを任意の傾斜角度に調整可能にすると共にウオークイン動作等でシートバックを前倒位置に移動させる際に元の傾斜位置を記憶させかつその傾斜位置に復帰させるリクライニング装置の提供。【解決手段】メモリーリング１５と、メモリーリングの突起と当接するように付勢されかつ内歯３０を有するメモリーギヤとメモリーギヤの内歯３０と噛合するように付勢された外歯３３とギヤプレート３の切欠溝３４を通して外部に延伸するレバー部３５とを有するメモリーレバー１７とを設け、メモリーレバー１７の押圧によりメモリーレバー１７の外歯３３とメモリーギヤの内歯３０との噛合を外した際にシートバックの調整位置を記憶するためにメモリーリング１５の段部２６とロックギヤ６の突出部６ｂとが係合しかつメモリーリング１５の突起１９とメモリーギヤ１７とが当接するようにメモリーリング１５とメモリーギヤとを内バネ２２により係合させてある。【選択図】図１
2008212538.tif 000002
【特許請求の範囲】
【請求項１】
シャフト（１）により軸支された円形状のベースプレート（２）と該ベースプレート（２）に対して回動可能に組み付けられかつシャフト（１）により軸支された円形状のギヤプレート（３）との間にギヤプレート（３）の内歯（４）と係脱可能な外歯（５）を有する２つのロックギヤ（６）と、
シャフト（１）に回動可能に軸着されかつロックギヤ（６）に係合してロックギヤ（６）の外歯（５）をギヤプレート（３）の内歯（４）に噛合させるようにバネ（９）により回転付勢されているカム（８）と、
カム（８）とロックギヤ（６）とに係合させかつカム（８）の回動によりロックギヤ（６）を径内方向に摺動させてロックギヤ（６）の外歯（５）とギヤプレート（３）の内歯（４）との噛合を外すレバープレート（１０）とを備えたリクライニング装置において、
レバープレート（１０）上に配置させたメモリーリング（１５）には突起（１９）と段部（２６）とを備え、
メモリーリング（１５）の突起（１９）に当接するように付勢されかつギヤプレート（３）の円筒部（３ａ）に回動可能に軸支されたメモリーギヤ（１６）には内歯（３０）を設け、
メモリーギヤ（１６）の内歯（３０）と噛合するように付勢された外歯（３３）とギヤプレート（３）に形成した切欠溝（３４）を通して外部に延伸するレバー部（３５）とを有するメモリーレバー（１７）をギヤプレート（３）の円筒部（３ａ）にスライド可能に軸支させ、
レバー部（３５）の押圧によりメモリーレバー（１７）の外歯（３３）とメモリーギヤ（１６）の内歯（３０）との噛合を外した際にシートバックの調整位置を記憶するためにメモリーリング（１５）の段部（２６）とロックギヤ（６）の突出部（６ｂ）とが係合しかつメモリーリング（１５）の突起（１９）とメモリーギヤ（１６）とが当接するようにメモリーリング（１５）とメモリーギヤ（１６）とを内バネ（２２）で係合させたことを特徴とするメモリー機構を有するリクライニング装置。
【請求項２】
ギヤプレート（３）には内歯（４）と該内歯（４）よりも径の小さいフリー部（４ａ）とを設け、メモリーリング（１５）には段部（２６）とフリー部（２７）とを設け、ロックギヤ（６）の外歯（５）がギヤプレート（３）の内歯（４）を越えてフリー部（４ａ）に乗り上がると共にロックギヤ（６）の突出部（６ｂ）がメモリーリング（１５）の段部（２６）を越えてフリー部（２７）に乗り上がることによりシートバックのロックフリー状態を形成することを特徴とする請求項１に記載のメモリー機構を有するリクライニング装置。
【発明の詳細な説明】
【技術分野】
【０００１】
本発明はシートバックを任意の傾斜角度に調整可能にすると共にウオークイン動作等でシートバックを前倒位置に移動させる際に元の傾斜角度位置を記憶させかつその傾斜角度位置に復帰させるメモリー機構を有するリクライニング装置に関するものである。
【背景技術】
【０００２】
従来、第１制御部材を操作させることによりシートバックの傾斜角度を調整し、シートバックを前倒位置に移動させる際に第２制御部材を操作させることによりシートバックの調整角度位置を記憶しかつ前倒前の元の調整角度位置に復帰させてロックする２つの制御部材を有するリクライニング装置は特開平１１−７００２８号公報から公知である。この公知のリクライニング装置は可動側面プレートと固定側面プレートとの間にロック歯と２つのペグとを有するロックスラグと、該ロックスラグに係合するカムと、該カムに係合してロックスラグを外径方向に付勢してロック歯を可動側面プレートの第１歯列に噛合させるバネと、回動軸に回動可能に配設されかつカムとロックスラグの一方のペグに係合する第１制御プレートとを配設し、第１制御プレートを回動させてロックスラグのロック歯を可動側面プレートの第１歯列から離脱させることによりシートバックの傾斜角度を調整させることができるようにしてある。更に第１制御プレートに係合する駆動フィンガーと記憶カムを有する第２制御プレートと、第２制御プレートの記憶カムと係合する突出部と可動側面プレートの第２歯列と係脱する記憶歯とを有する記憶スラグと、記憶スラグを嵌入させかつ記憶スラグを径外方向に付勢するバネを有する記憶プレートとを配設し、第２制御プレートを回動させ、第２制御プレートの記憶カムと記憶スラグの突出部との係合を外して該記憶歯を可動側面プレートの第２歯列に係合させることによりシートバックの傾斜位置を記憶し、同時に第２制御プレートの回動により第１制御プレートを回動させ、ロックスラグのロック歯を可動側面プレートの第１歯列から離脱させ、ロックスラグを更に径内方向に移動させることによりロックスラグの他方のペグを記憶スラグと記憶プレートの外側リムから外して固定側面プレートに対して可動側面プレートを記憶プレートと記憶スラグと共に回動させることによりシートバックを前倒位置に移動させることができ、そして固定側面プレートに対して可動側面プレートを記憶プレートと記憶スラグと共に反対方向に回動させ、ロックスラグの他方のペグに記憶スラグの外側リムを当接させることによりシートバックを前倒前の元の傾斜位置に復帰させることができるようにしてある。
【０００３】
【特許文献１】特開平１１−７００２８号公報
【発明の開示】
【発明が解決しようとする課題】
【０００４】
上述した従来技術のリクライニング装置においては、ロックスラグを可動側面プレート（ギヤプレート）の一方の内歯に係脱させてシートバックの傾斜角度を調整し、記憶スラグを可動側面プレートの他方の内歯に噛合させてシートバックの調整傾斜角度位置を記憶させるため、可動側面プレートにロックスラグと記憶スラグとが噛合する上下２段の２つの内歯を設ける必要があるので、ユニットの厚さが増大すると共にそれらを設置するのに広いスペースを必要とし、スペースの少ない車内に装着するのに不都合であり、また第２制御プレートを回動させることにより制御プレートの記憶カムと記憶スラグの突出部との係合を外し、バネの付勢により記憶プレートから記憶スラグを押圧して可動側面プレートに噛合させるため、制御プレートと記憶スラグの２つの部材の動きにずれが生じ、シートバックの調整傾斜角度を正確に記憶することができない欠点がある。
【０００５】
本発明の目的はユニット全体の厚さを減少させると共にメモリー機構を少ない部品で構成させ、シートバックの調整傾斜角度を正確に記憶すると共に記憶した調整傾斜角度に正確かつ確実に戻るメモリー機構を有するリクライニング装置を提供することにある。
【課題を解決するための手段】
【０００６】
本発明によるメモリー機構を有するリクライニング装置はシャフトにより軸支された円形状のベースプレートと該ベースプレートに対して回動可能に組み付けられかつシャフトにより軸支された円形状のギヤプレートとの間にギヤプレートの内歯と係脱可能な外歯を有する２つのロックギヤと、シャフトに回動可能に軸着されかつロックギヤに係合してロックギヤの外歯をギヤプレートの内歯に噛合させるようにバネにより回転付勢されているカムと、カムとロックギヤとに係合しかつカムの回動によりロックギヤを径内方向に摺動させてロックギヤの外歯とギヤプレートの内歯との噛合を外すレバープレートと、レバープレート上に配置させたメモリーリングと、ギヤプレートの円筒部に回転可能に軸支させたメモリーギヤとメモリーレバーとを備えている。メモリーリングは突起と段部とを有し、メモリーギヤはバネによりメモリーリングの突起と当接するように付勢されかつ、内歯を備え、メモリーレバーはメモリーリングの内歯と噛合するように付勢された外歯を有すると共にギヤプレートに形成した切欠溝を通して外部に延伸するレバー部を設けている。メモリーリングとメモリーギヤはメモリーレバーのレバー部を押圧させることによりメモリーレバーの外歯とメモリーギヤの内歯との噛合を外した際にシートバックの調整位置を記憶するためにメモリーリングの段部とロックギヤの突出部とが係合しかつメモリーリングの突起とメモリーギヤとが当接するようにバネにより係合されている。
【発明の効果】
【０００７】
本発明によるリクライニング装置はメモリーギヤの内歯とメモリーレバーの外歯との係脱によりシートバックの調整位置を記憶するため、ギヤプレートにはロックギヤの外歯と噛合する内歯のみを設けてあるので、ギヤプレートの肉厚を薄くすることができ、またメモリーレバーと一体的に形成した外歯を直接メモリーギヤの内歯に噛合させるため、確実にメモリーレバーとメモリーギヤを噛み合わせることができるので、シートバックの調整角度位置を正確に記憶することができる。
【発明を実施するための最良の形態】
【０００８】
本発明によるリクライニング装置はシャフト１により軸支した円形状のベースプレート２とギヤプレート３とを備え、該ギヤプレート３は内歯４と該内歯４の内径よりも径の小さいフリー部４ａとを有しかつベースプレート２に対して回動可能に組付けられている。ベースプレート２とギヤプレート３との間にはギヤプレート３の内歯４と係脱可能な外歯５を有する２つのロックギヤ６，６を備えている。ロックギヤ６，６はその上面にカム突起６ａを備えると共に該カム突起６ａの上面に突出部６ｂを設け、ベースプレート２の内面に形成した固定ガイド７，７に沿って径内方向と径外方向に直径的に摺動可能であり、シャフト１に回動可能に軸着されているカム８に係合している。カム８はベースプレート２の内面に取付けた２つのバネ９，９により回転付勢され、ロックギヤ６，６を径外方向に押圧してロックギヤ６，６の外歯５をギヤプレート３の内歯４に噛合させている。カム８上にはレバープレート１０を配設させ、レバープレート１０にはシャフト１の挿通孔１１と、カム８上に形成した２つのピン１２，１２を嵌合させる孔１３，１３と、ロックギヤ６，６に形成したカム突起６ａと係合するカム孔１４，１４とを穿設してある。
【０００９】
上述した本発明のリクライニング装置の基本構成は操作レバー（図示せず）を解放させると、シャフト１の回動に伴いカム８が回動し、カム８がバネ９によりロックギヤ６を径外方向に押すことで、ロックギヤ６の外歯５をギヤプレート３の内歯４に噛合させ、シートバックがロックされる。操作レバーを作動させると、カム８のピン１２をレバープレート１０の孔１３に嵌合させてあるので、カム８の回動に伴いレバープレート１０もシャフト１を回転軸として回動し、レバープレート１０のカム孔１４がロックギヤ６のカム突起６ａを径内方向に引き込ませることにより、ロックギヤ６をギヤプレート３の内歯４から離脱させて、シートバックがロックオフになる。更にベースプレート１に対してギヤプレート３を回動させることによりロックギヤ６の外歯５がギヤプレート３の内歯４の段部を超えてフリー部４ａに乗り上がることで、シートバックがロックフリーになる。
【００１０】
本発明によるリクライニング装置のメモリー機構はベースプレート２とギヤプレート３との間に設けられかつ前述のレバープレート１０上に配置されたメモリーリング１５と、メモリーギヤ１６と、メモリーレバー１７と、ワッシャ１８とを有している。
【００１１】
更に、本発明のリクライニング装置の基本構成中のギヤプレート３上には、バーリング加工により円筒部３ａが形成されており、そのギヤプレート３の円筒部３ａは、メモリーギヤ１６を回動可能に軸支し、メモリーレバー１７、ワッシャ１８を径方向にスライド可能に軸支している。ギヤプレート３の円筒部３ａには段部３ｂが形成されており、メモリーギヤ１６とメモリーレバー１７とが接近し過ぎるのを防止し、メモリーギヤ１６とメモリーレバー１７とが互いに動きやすいようにしている。またギヤプレート３の円周部上には切欠溝３４が形成され、該切欠溝３４を通してメモリーレバー１７をギヤプレート３の外部に延伸させ、メモリーレバー１７を外部から手動で操作できるようにしてある。
【００１２】
以下に本発明によるリクライニング装置のメモリー機構を各構成部材ごとに説明する。
【００１３】
メモリーリング１５はレバープレート１０上に配置されかつその円周面上に突起１９を備えると共にその内周縁上にＬ字形の引掛部２０を設け、該引掛部２０のＬ字形の基部に引掛孔２１を形成してあり、メモリーリング１５の引掛孔２１には内バネ２２の一端が取付けられ、内バネ２２の他端をメモリーギヤ１６に形成した引掛孔２３に取付けてあり、メモリーリング１５とメモリーギヤ１６はメモリーリング１６の突起１９とメモリーギヤ１６の側面とが当接するようにギヤプレート３の円筒部３ａを回転軸として互いに引き合う方向に付勢されている。同様にメモリーリング１５の引掛部２０には外バネ２４の一端を取付けると共に外バネ２４の他端をワッシャ１８に形成した引掛部２５に取付け、ワッシャ１８に対してメモリーリング１５は時計廻り方向に付勢されている。更にメモリーリング１５はその内周縁に段部２６を有するフリー部２７を有し、ロックギヤ６の突出部６ｂが段部２６を越えてメモリーリング１５のフリー部２７に乗り上がることでロックギヤ６はロックフリーの状態となる。
【００１４】
メモリーギヤ１６はその中心にギヤプレート３の円筒部３ａの挿通孔２８を備えかつその外周に引掛孔２３を形成した突出部２９を設けると共に内歯３０を有するセクター状の開口部３１を穿設したセクター部３２を備えている。メモリーギヤ１６のセクター部３２に形成した開口部３１に設けた内歯３０にはメモリーレバー１７に形成した外歯３３を噛合させてある。メモリーギヤ１６はギヤプレート３の円筒部３ａに回動可能に軸支され、メモリーギヤ１６の内歯３０とメモリーレバー１７の外歯３３との噛合によりギヤプレート３が回動するときにメモリーレバー１７を介して回動し、またメモリーギヤ１６の引掛孔２３に取付けた内バネ２２の付勢力によりメモリーギヤ１６の内歯３０とメモリーレバー１７の外歯３３との噛合が解除されたときに回動する。即ち、内バネ２２の一端をメモリーギヤ１６の引掛孔２３に取付け、その他端をメモリーリング１５の引掛孔２１に取付けてあり、メモリーリング１５の突起１９がメモリーギヤ１６の側面に当接するようにギヤプレート３の円筒部３ａを回転軸としてメモリーギヤ１６とメモリーリング１５とは互いに引き合う方向に回動する。
【００１５】
メモリーレバー１７はギヤプレート３に形成した切欠溝３４（図６参照）を通してギヤプレート３の外側まで延伸しているレバー部３５を有しており、外側からメモリーレバー１７のレバー部３５を手動で操作することができる。更にメモリーレバー１７はその中心にギヤプレート３の円筒部３ａの挿通孔３６を備え、該挿通孔３６にはバネ３７を収容させる収容孔３８を連結させ、ギヤプレート３の内側のメモリーレバー１７にはメモリーギヤ１６の内歯３０に噛合する外歯３３を形成し、挿通孔３６の両側には２つの突起３９を備えている。メモリーレバー１７はギヤプレート３の円筒部３ａにスライド可能に軸支され、そのレバー部３５がギヤプレート３の円周部に設けた切欠溝３４（図６参照）に係合しているので、ギヤプレート２の回動と共にギヤプレート３の円筒部３ａを回転軸として回動する。またメモリーレバー１７は作動させない状態ではバネ３７の付勢力によりメモリーレバー１７の外歯３３がメモリーギヤ１６の内歯３０に噛合している状態になっており、レバー部３５を手動で押すことによりバネ３７に抗して径内方向に移動し、メモリーレバー１７の外歯３３とメモリーギヤ１６の内歯３０との噛合を解除し、レバー部３５から手を離すと再び径外方向に戻りメモリーレバー１７の外歯３３がメモリーギヤ１６の内歯３０に噛合する。
【００１６】
ワッシャ１８はその中心にギヤプレート３の円筒部３ａの挿通孔４０を備え、該挿通孔４０にはバネ３７を収容する収容孔４１を接続させ、挿通孔４０の両側の円周面上にはメモリーレバー１７に設けた２つの突起３９，３９を嵌合させる２つの孔４２を設け、またその外周縁には一端をメモリーリング１５の引掛部２０に取付けた外バネ２４の他端を取付ける引掛部２５を設けている。ワッシャ１８はギヤプレート３の円筒部３ａに回動可能に軸支され、メモリーレバー１７の突起３９がワッシャ１８の孔４２に嵌合しているので、メモリーレバー１７と同様の動きをし、外バネ２４の一端をメモリーリング１５の引掛部２０に取付け、その他端をワッシャ１８の引掛部２５に取付けてあるので、ワッシャ１８を介してメモリーリング１５が外バネ２４によりメモリーレバー１７に対して時計廻り方向に付勢されている。
【００１７】
シートバックの傾斜角度の調整について説明すると、操作レバー（図示せず）を作動させることによりシャフト１が回動し、バネ９に抗してカム８が回動することによりレバープレート１０のカム孔１４がロックギヤ６のカム突起６ａを径内方向に引き込み、ロックギヤ６の外歯５をギヤプレート３の内歯４から離脱させ、シートバックをロックオフの状態にしてベースプレート２に対してギヤプレート３を回動させてシートバックを後倒又は前倒させ、その調整位置で操作レバーを解放させることによりシートバックの傾斜角度を調整することができる。操作レバーの操作によりシャフト１のみが作動し、メモリーレバー１７及びメモリーギヤ１６は作動せず、ロックギヤ６の外歯５とギヤプレート３の内歯４との係脱が行なわれ、メモリーレバー１７を操作させない限り、メモリー機構は作動しないようになっているが、ギヤプレート３の回動とメモリーレバー１７の押圧によりメモリー機構は作動する。
【００１８】
次にシートバックの調整角度位置の記憶は後倒による調整位置の記憶と前倒による調整位置の記憶はその作動がそれぞれ異なるので、以下に別々に説明する。
【００１９】
後倒による調整位置の記憶について、シートバックのロックオフ状態においてギヤプレート３を逆時計廻り方向に回動させてシートバックを例えば図２に示した初段位置から３０度後倒させた図３に示した位置に調整させると、ギヤプレート３の回動によりメモリーレバー１７と共にメモリーギヤ１６が回動してメモリーギヤ１６が図２に実線で示した位置から図２に二点鎖線で示した位置までメモリーリング１５の突起１９を押圧してメモリーリング１５を逆時計廻り方向に回動させ、メモリーリング１５の段部２６が図２に実線で示した位置から図３に二点鎖線で示した位置までロックギヤ６の突出部６ｂから離れる。この３０度後倒した調整位置において、メモリーレバー１７のレバー部３５を押すと、図３に示したようにメモリーレバー１７の外歯３３がメモリーギヤ１６の内歯３０から離脱し、メモリーリング１５はメモリーリング１５の段部２６が図２に実線で示したようにロックギヤ６の突出部６ｂに当接するまで回動し、メモリーギヤ１６は図３に二点鎖線で示した位置から図３に実線で示した位置までメモリーリング１５の突起１９に押されて時計廻り方向に回動する。そこでメモリーレバー１７を離すことにより、メモリーレバー１７の外歯３３がメモリーギヤ１６の内歯３０と噛合して、この後倒した調整位置を記憶する。
【００２０】
前倒による調整位置の記憶について、シートバックのロックオフ状態においてギヤプレート３を時計廻り方向に回動させてシートバックを例えば図３に示した後倒位置から約２０度前倒させた図４に示した位置に調整させると、ギヤプレート３の回動によりメモリーレバー１７が図４に二点鎖線で示した位置から実線で示した位置に回動すると共にメモリーギヤ１６が時計廻り方向に回動し、この場合にメモリーリング１５の段部２６がロックギヤ６の突出部６ｂに当接しているためにメモリーリング１５は時計廻り方向に回動できず、メモリーギヤ１６はメモリーリング１５の突起１９から離れて図４に実線で示した位置まで回動する。この約２０度前倒させた調整位置において、メモリーレバー１７を押すと、メモリーレバー１７の外歯３３がメモリーギヤ１６の内歯３０から外れ、メモリーギヤ１６がメモリーリング１５の突起１９に当接するまで逆時計廻り方向に回動する。そこでメモリーレバー１７を放すことにより、メモリーレバー１７の外歯がメモリーギヤ１６の内歯と噛合して、この前倒させた調整位置を記憶する。
【００２１】
次にウオークイン動作等でシートバックを前倒させた後に記憶させた元の調整角度位置に復帰させる作動を説明する。
【００２２】
シートバックをロックオフ状態にして初段位置を越えて前倒させると、ギヤプレート３が調整位置を記憶したメモリーギヤ１６及びメモリーレバー１７と共に図５に示したように時計廻り方向に回動し、ギヤプレート３のフリー部４ａがロックギヤ６の外歯５を越してロックギヤの外歯５がギヤプレート３のフリー部４ａに乗り上がるロックフリーの状態になると、ロックギヤ６が径内方向に少し引き込まれるので、メモリーリング１５の段部２６とロックギヤ６の突出部６ｂとの係合が外れ、メモリーギヤ１６の回動に伴ってメモリーリング１５が回動して、ロックギヤ６の突出部６ｂが図４に示したようにメモリーリング１５のフリー部２７に乗り上がる状態になり、シートバックの前倒し状態になる。シートバックの前倒し状態からシートバックを再び起き上げると、ギヤプレート３が調整位置を記憶したメモリーギヤ１６及びメモリーレバー１７と共に逆時計廻り方向に回動し、メモリーギヤ１６の回動に伴ってメモリーリング１５も回動し、ギヤプレート３のフリー部４ａがロックギヤ６の外歯５を越えると、次にメモリーリング１５のフリー部２７がロックギヤ６の突出部６ｂを越えて、ロックギヤ６の突出部６ｂがメモリーリング１５の段部２６に落下し、ロックギヤ６の外歯５がギヤプレート３の内歯４に落下し、シートバックは記憶した調整位置でロックされる。
【図面の簡単な説明】
【００２３】
【図１】本発明によるリクライニング装置の各構成部材の分解斜視図である。
【図２】本発明によるリクライニング装置のメモリーレバー上から見た縦断正面図である。
【図３】シートバックを図２の位置から３０度後倒させた図２と同じ縦断正面図である。
【図４】シートバックを図３の位置から２０度前倒させた図２と同じ縦断正面図である。
【図５】シートバックを図２の位置からウオークイン動作の前倒位置に移動させた図２と同じ縦断正面図である。
【図６】図２のＡ−Ａ線に沿う縦断側面図である。
【図７】本発明によるリクライニング装置のレバープレート上から見た縦断正面図である。
【符号の説明】
【００２４】
１          シャフト
２          ベースプレート
３          ギヤプレート
４          内歯
４ａ        フリー部
５          外歯
６          ロックギヤ
６ａ        カム突起
６ｂ        突出部
８          カム
９          バネ
１０        レバープレート
１５        メモリーリング
１６        メモリーギヤ
１７        メモリーレバー
１８        ワッシャ
１９        突起
２２        内バネ
２４        外バネ
２６        段部
２７        フリー部
３０        内歯
３３        外歯
３４        切欠溝
３５        レバー部
３７        バネ
３９        突起
４２        孔
【図１】
2008212538.tif 000003
【図２】
2008212538.tif 000004
【図３】
2008212538.tif 000005
【図４】
2008212538.tif 000006
【図５】
2008212538.tif 000007
【図６】
2008212538.tif 000008
【図７】
2008212538.tif 000009